(57)【特許請求の範囲】
【請求項１】
スパウトと該スパウトに螺着するキャップとからなり、前記スパウトの注出筒の内側を封鎖板を設けて封止し、該封鎖板の開口予定位置のいずれの片面に環状切込みを設けて他面に環状薄肉脆弱線を形成し、該環状薄肉脆弱線の内側近傍の上面の一側に、先端にプルリングを接続する支柱を立設する口栓において、前記プルリングの縦方向の幅を支柱側から支柱対向側へ無段階に狭くし、かつ支柱側の厚みより支柱対向側の厚みを厚くしたことを特徴とするプルリング付口栓。
【請求項２】
スパウトと該スパウトに螺着するキャップとからなり、前記スパウトの注出筒の内側を封鎖板を設けて封止し、該封鎖板の開口予定位置のいずれの片面に環状切込みを設けて他面に環状薄肉脆弱線を形成し、該環状薄肉脆弱線の内側近傍の上面の一側に、先端にプルリングを接続する支柱を立設する口栓において、前記プルリングの内側に周方向の段差部を設け、かつ支柱側の厚みより支柱対向側の厚みを厚くしたことを特徴とするプルリング付口栓。
【請求項３】
前記プルリングを、支柱対向側を上方にして支柱側から上向きに傾斜させて設けたことを特徴とする請求項１又は請求項２記載のプルリング付口栓。
【発明の詳細な説明】
【０００１】
【発明の属する技術分野】
本発明は、液体用紙容器の注出部に突設させるスパウトとそのスパウトに螺着するキャップとからなり、プルリングでスパウトを開口するプルリング付口栓に関するものである。
【０００２】
【従来の技術】
従来、食品や非食品の液体内容物に使用される液体用紙容器には、使用時の使い易さを考慮して、例えば、図３に示すように、胴部（２１）が四角筒状で、切り妻屋根形の頂部の傾斜板（２２）にスパウト（１００）とキャップ（２００）とからなる口栓（１０）を突設した液体用紙容器（２０）が、広い用途範囲にわたって使用されていた。この口栓は、容器の口栓取付孔から突出するスパウトの注出筒にキャップを螺着したものであるが、流通時の密封性の完全さやバージン性の確保、または、使用時の易開封性を兼ね備えるために、例えば図４に示すように、スパウト（１００）の注出筒（１２０）の内側の下方内面に封鎖板（１３０）を設けて封止し、使用時に開口するため、この封鎖板の下面の所定位置に垂直断面逆Ｖ字状の環状切込み（１３１）を設けて、上面の開口予定位置に環状薄肉脆弱線（１３２）を形成し、この環状薄肉脆弱線の内側近傍の上面の所定の一側に、先端にプルリング（１３４）をもつ支柱（１３３）を立設したものであり、容器を開封するために口栓を開口するときには、キャップを取り外し、注出筒（１２０）の内側に収容されているプルリング（１３４）に指先を掛けて上方へ引っ張って、封鎖板（１３０）の環状薄肉脆弱線（１３２）を引き裂いて開口していた。
【０００３】
【発明が解決しようとする課題】
しかしながら、液体用紙容器に使用する上述の従来のプルリング付口栓は、容器を開封するために、スパウトの注出筒に収容されているプルリングに指先を掛けて引っ張り、封鎖板の環状薄肉脆弱線を引き裂いて開口するときに、指先がプルリングに掛かりにくかったり、力が集中しウェルドライン（融着部分）が生じやすい支柱対向側が切断してしまうことなどがあった。
【０００４】
本発明は、上述の従来のプルリング付口栓の問題を解決するものであり、プルリングに指先を掛け易く、プルリングが切断されにくく、プルリングでスパウトを開口し易いプルリング付口栓を提供するものである。
【０００５】
【課題を解決するための手段】
すなわち、本発明の第１の発明は、スパウトとこのスパウトに螺着するキャップとからなり、前記スパウトの注出筒の内側を封鎖板を設けて封止し、この封鎖板の開口予定位置のいずれの片面に環状切込みを設けて他面に環状薄肉脆弱線を形成し、この環状薄肉脆弱線の内側近傍の上面の一側に、先端にプルリングを接続する支柱を立設する口栓において、前記プルリングの縦方向の幅を支柱側から支柱対向側へ無段階に狭くし、かつ支柱側の厚みより支柱対向側の厚みを厚くしたことを特徴とするプルリング付口栓である。
【０００６】
次に、本発明の第２の発明は、スパウトとこのスパウトに螺着するキャップとからなり、前記スパウトの注出筒の内側を封鎖板を設けて封止し、この封鎖板の開口予定位置のいずれの片面に環状切込みを設けて他面に環状薄肉脆弱線を形成し、この環状薄肉脆弱線の内側近傍の上面の一側に、先端にプルリングを接続する支柱を立設する口栓において、前記プルリングの内側に周方向の段差部を設け、かつ支柱側の厚みより支柱対向側の厚みを厚くしたことを特徴とするプルリング付口栓である。
【０００７】
そして、本発明の第３の発明は、前記プルリングを、支柱対向側を上方にして支柱側から上向きに傾斜させて設けたことを特徴とする第１の発明又は第２の発明に記載のプルリング付口栓である。
【０００８】
【発明の実施の形態】
次に、本発明のプルリング付キャップの実施の形態について、図を用いて詳細に説明する。
本発明の一実施形態のプルリング付キャップ（１０）は、図３に示すように、液体用紙容器（２０）の頂部傾斜板に突設させるスパウト（１００）とこのスパウトに螺合させて装着するキャップ（２００）とからなり、スパウトは、例えば図１（ａ）に示すように、注出筒（１２０）の内側下方を封鎖板（１３０）を設けて封止し、この封鎖板の開口予定位置の下面に、垂直断面が逆Ｖ字状の環状切込み（１３１）を設けて、上面に環状薄肉脆弱線（１３２）を形成し、この環状薄肉脆弱線の内側近傍の上面の一側に、Ｖ字状の先端部にプルリング（１３４）を接続する図１（ｂ）に示す支柱（１３３）を立設するものであり、そして、このプルリングは、図１（ａ）及び（ｂ）に示すように、支柱対向側を上方にして支柱側から上向きに傾斜させて設け、また、縦方向の幅を支柱側から支柱対向側へ無段階に狭くし、そして、支柱側の厚みより支柱対向側の厚みを厚くするものである。なお、支柱の先端部は、Ｖ字状でなく棒状でも平板状でも良く、また、封鎖板の開口予定位置に設ける環状切込みは、上面に設けて下面に環状薄肉脆弱線を形成しても良い。
【０００９】
また、スパウト（１００）は、図１（ａ）に示すように、台座リング（１１０）の上面内周縁部に、キャップと螺合する雄ネジ（１２１）を外周面にもつ注出筒（１２０）を立設し、台座リングの下端外周面にフランジ（１４０）を周設するものであり、容器への取り付けは、容器（２０）のスパウト取付孔（２３）に注出筒（１２０）と台座リング（１１０）を突出させ、フランジ（１４０）の上面を容器のスパウト取付孔の外周縁部の内面に超音波シール法などで熱融着して取り付けるいわゆる「内付け」するものか、または、容器の注出孔の外周縁部の上面に突設するスパウトのフランジの下面を熱融着して取り付けるいわゆる「外付け」するものである。なお、スパウトは、通常、ポリエチレンなどの熱可塑性樹脂を射出成形法により作製するものである。
【００１０】
上述した本発明のプルリング付口栓のスパウトは、容器を開封するために、注出筒の内側に収容されているプルリングに指先を掛けるときに、指先を掛ける支柱対向側が支柱側より縦方向の幅が狭くなっているため、指先が掛け易く、また、プルリングが支柱対向側を上方にして傾斜しているため、さらに指先が掛け易い。そして、指先をプルリングの支柱対向側に掛けて上方へ引っ張って封鎖板の環状薄肉脆弱線を引き裂いて開口するときに、力の集中する、また、ウェルドラインが生じやすいプルリングの支柱対向側の厚みが厚く強化されているため、引っ張ったときに、プルリングの支柱対向側が切断されることが防げ、また、成形性も良好となる。
【００１１】
次に、本発明の他の一実施形態のプルリング付キャップ（１０）は、図３に示すように、液体用紙容器（２０）の頂部傾斜板に突設させるスパウト（１００）とこのスパウトに螺合させて装着するキャップ（２００）とからなり、スパウトは、例えば図２（ａ）に示すように、注出筒（１２０）の内側下方を封鎖板（１３０）を設けて封止し、この封鎖板の開口予定位置の下面に、垂直断面が逆Ｖ字状の環状切込み（１３１）を設けて、上面に環状薄肉脆弱線（１３２）を形成し、この環状薄肉脆弱線の内側近傍の上面の一側に、Ｖ字状の先端部にプルリング（１３４）を接続する図２（ｂ）に示す支柱（１３３）を立設するものであり、そして、このプルリング（１３４）は、図２（ａ）及び（ｂ）に示すように、支柱対向側を上方にして支柱側から上向きに傾斜させて設け、また、プルリングの内側下方に周方向の段差部（１３５）を設け、そして、支柱側の厚みより支柱対向側の厚みを厚くするものである。なお、支柱の先端部は、Ｖ字状でなく棒状でも平板状でもよく、また、封鎖板の開口予定位置に設ける環状切込みは、上面に設けて下面に環状薄肉脆弱線を形成しても良い。その他は、前述の本発明のプルリング付キャップと同様である。
【００１２】
上述した本発明のプルリング付口栓のスパウトは、容器を開封するために、注出筒の内側に収容されているプルリングに指先を掛けるときに、プルリングの内側下方に周方向の段差部が設けられており、この段差部が指先の滑り止め機能を発揮するため、指先がプルリングに掛け易く、また、プルリングが支柱対向側を上方にして傾斜しているため、さらに指先が掛け易い。そして、指先をプルリングの支柱対向側に掛けて上方へ引っ張って封鎖板の環状薄肉脆弱線を引き裂いて開口するときに、力の集中する、また、ウェルドラインが生じやすいプルリングの支柱対向側の厚みが厚く強化されているため、引っ張ったときに、プルリングの支柱対向側が切断されることが防げ、また、成形性も良好となる。
【００１３】
【発明の効果】
本発明のプルリング付口栓を取り付けた液体用紙容器は、容器を開封するためにスパウトの注出筒内に収容されているプルリングに指先を掛けるときに、プルリングの特殊な形状によって、指先をプルリングに掛け易く、また、スパウトの注出筒の内側の封鎖板を開口するときに、力が集中するプルリングの支柱対向側が切断することが防げる。
【図面の簡単な説明】
【図１】（ａ）は、本発明のプルリング付口栓の一実施形態のスパウトの要部を示す断面図であり、（ｂ）は、そのＡ−Ａ’断面図である。
【図２】（ａ）は、本発明のプルリング付口栓の他の一実施形態のスパウトの要部を示す断面図であり、（ｂ）は、そのＢ−Ｂ’断面図である。
【図３】口栓を頂部傾斜板に突設した一例の液体用紙容器の斜視図である。
【図４】従来のプルリング付口栓の一例のスパウトの断面図である。
【符号の説明】
１０……口栓
２０……容器
２１……胴部
２２……傾斜板
２３……スパウト取付孔
１００……スパウト
１１０……台座リング
１２０……注出筒
１２１……雄ネジ
１３０……封鎖板
１３１……環状切込み
１３２……環状薄肉脆弱線
１３３……支柱
１３４……プルリング
１３５……段差部
１４０……フランジ
【図１】
0004312396.tif 000002
【図２】
0004312396.tif 000003
【図３】
0004312396.tif 000004
【図４】
0004312396.tif 000005